(57)【要約】【課題】ズームレンズの焦点距離を調節するための部材と、カメラに搭載される複数の機能（モード）を切り替えるための部材の良好な操作性が得られるカメラを提供する。【解決手段】モード選択ダイヤル６をシャッターボタン５の近傍に配置し、かつズームレバー７をモード選択ダイヤル６の近傍位置であって該ダイヤル６と略同心円弧上を回動可能に背面側に配置し、通常の把持姿勢をほとんど崩すことなく、右手人差し指によりシャッターボタン５を、右手親指または人差し指によりモード選択ダイヤル６を、右手親指によりズームレバー７を回動操作できるようにした。これにより、ズームレバー７によるズーム操作の後、速やかにシャッターボタン５によるレリーズ操作を行えるとともに、モード選択ダイヤル６によるダイヤル操作とズームレバー７によるズーム操作とを速やかに連続して行える。【選択図】      図７
2004239949.tif 000002
【特許請求の範囲】
【請求項１】
複数のモードを択一的に切り替えるための略円盤状のモード選択ダイヤルが、カメラ本体におけるグリップ部の上側に回動可能に配設されるとともに、
ズームレンズの焦点距離を変更する指示を入力するためのズーム操作部材が、前記グリップ部の背面側に配設され、前記モード選択ダイヤルの略同心円弧上を移動可能に構成されていることを特徴とするカメラ。
【請求項２】
前記モード選択ダイヤルに固定され、選択されたモードを検出するための電気摺動接片と、モードの種類に対応する複数のパターンが基板部材に形成されてなる第１の基板と、前記ズーム操作部材に固定され、指示されたズームの種類を検出するための電気摺動接片と、ズームの種類に対応する複数のパターンが基板部材に形成されてなる第２の基板とを備え、前記第１の基板及び第２の基板の基板部材は、同一の基板部材であることを特徴とする請求項１に記載のカメラ。
【請求項３】
前記ズーム操作部材は、前記モード選択ダイヤルの外周側に突出し、前記モード選択ダイヤルの外周部のうち少なくとも一部を覆うレバー部材とされていることを特徴とする請求項１または２に記載のカメラ。
【請求項４】
前記モード選択ダイヤルは、カメラ本体の前面または側面から、少なくとも一部が突出していることを特徴とする請求項１ないし３のいずれかに記載のカメラ。
【請求項５】
前記モード選択ダイヤルは、当該カメラの電源のオンオフを切り替える機能を有しており、前記モード選択ダイヤルに対して電源をオフにする操作が行われると、前記モード選択ダイヤルと前記ズーム操作部材との間に構成された嵌合構造により、前記モード選択ダイヤルの回動を規制することを特徴とする請求項１ないし４のいずれかに記載のカメラ。
【発明の詳細な説明】
【０００１】
【発明の属する技術分野】
本発明は、ズームレンズの焦点距離を調節するための部材と、カメラに搭載される複数の機能（モード）を切り替えるための部材とを備えたカメラに関する。
【０００２】
【従来の技術】
特許文献１には、カメラ本体の背面に設けられた凹部に収納された収納位置と、この収納位置から背面に垂直な面上で９０°回動させた突出位置との間で移動可能なモード設定操作部を備え、このモード設定操作部が収納位置にあるときは、ズームレンズの焦点距離を調節するズームモードに設定される一方、突出位置にあるときは、モード設定操作部に備えられた操作ダイヤルを回転操作することで、ズームモード以外の複数のモードが設定可能に構成されたカメラが開示されている。
【０００３】
また、特許文献２には、カメラの背面にズームの指示が可能な十字キーを配設するとともに、この十字キーの周囲に、カメラの機能（モード）を変更する環状のモードダイヤルを配設したカメラが開示されている。
【０００４】
【特許文献１】
特開２００２−１２２９２５号公報
【特許文献２】
特開平１１―２１９６３９号公報
【０００５】
【発明が解決しようとする課題】
ところで、前者の場合、ズームモードと他のモードとを切り替える際には、モード設定操作部を収納位置と突出位置との間で回動させる必要があるため、手や指の動線が比較的長くなり、カメラの把持姿勢を大きく変更する必要がある。特に、モード設定操作部を収納位置から突出位置まで回動させるときには、カメラを持ち替えるなどして、モード設定操作部を指先で摘んで引き出す必要があり、面倒である。
【０００６】
また、後者の場合、十字キーまたはモードダイヤルのいずれか一方の部材を操作する際、指が誤って他方の部材に触れてその部材が不用意に操作される虞がある。
【０００７】
本発明は、上記不具合に鑑みてなされたものであり、上記のような不具合を改善しつつ、良好な操作性が得られるカメラを提供することを目的とする。
【０００８】
【課題を解決するための手段】
請求項１に記載の発明は、複数のモードを択一的に切り替えるための略円盤状のモード選択ダイヤルが、カメラ本体におけるグリップ部の上側に回動可能に配設されるとともに、ズームレンズの焦点距離を変更する指示を入力するためのズーム操作部材が、前記グリップ部の背面側に配設され、前記モード選択ダイヤルの略同心円弧上を移動可能に構成されていることを特徴とするカメラである。
【０００９】
この発明によれば、複数のモードを択一的に切り替えるための略円盤状のモード選択ダイヤルを、カメラ本体におけるグリップ部の上側に回動可能に配設するとともに、ズームレンズの焦点距離を変更する指示を入力するためのズーム操作部材を、前記グリップ部の背面側に配設し、前記モード選択ダイヤルの略同心円弧上を移動可能に構成したので、モードを切り替える操作とズーム操作とを連続して行う場合に、手や指の動線が比較的短くて済む。これにより、カメラの把持姿勢を大きく変える必要がなくなるから、カメラの操作性を向上することができる。
【００１０】
請求項２に記載の発明は、請求項１に記載のカメラにおいて、前記モード選択ダイヤルに固定され、選択されたモードを検出するための電気摺動接片と、モードの種類に対応する複数のパターンが基板部材に形成されてなる第１の基板と、前記ズーム操作部材に固定され、指示されたズームの種類を検出するための電気摺動接片と、ズームの種類に対応する複数のパターンが基板部材に形成されてなる第２の基板とを備え、前記第１の基板及び第２の基板の基板部材は、同一の基板部材であることを特徴とするものである。
【００１１】
この発明によれば、第１の基板及び第２の基板の基板部材を、同一の基板部材としたので、第１の基板及び第２の基板を作成する場合に、同一の基板部材を兼用することができる。したがって、第１の基板及び第２の基板を別の基板部材を用いて構成する場合に比して、部品点数を削減することができるとともに、省スペース化を図ることができる。
【００１２】
請求項３に記載の発明は、請求項１または２に記載のカメラにおいて、前記ズーム操作部材は、前記モード選択ダイヤルの外周側に突出し、前記モード選択ダイヤルの外周部のうち少なくとも一部を覆うレバー部材とされていることを特徴とするものである。
【００１３】
この発明によれば、ズーム操作部材を、モード選択ダイヤルの外周部のうち少なくとも一部を覆うレバー部材としたので、ズーム操作部材を操作する際に、誤って指がモード選択ダイヤルに触れるのを防止または抑制することができる。
【００１４】
請求項４に記載の発明は、請求項１ないし３のいずれかに記載のカメラにおいて、前記モード選択ダイヤルは、カメラ本体の前面または側面から、少なくとも一部が突出していることを特徴とするものである。
【００１５】
この発明によれば、モード選択ダイヤルのうち少なくとも一部を、カメラ本体の前面または側面から突出させたので、モード選択ダイヤルの外周部に１本の指を押し当てるだけで回動操作が可能となり、モード選択ダイヤルの操作性を向上することができる。
【００１６】
請求項５に記載の発明は、請求項１ないし４のいずれかに記載のカメラにおいて、前記モード選択ダイヤルは、当該カメラの電源のオンオフを切り替える機能を有しており、前記モード選択ダイヤルに対して電源をオフにする操作が行われると、前記モード選択ダイヤルと前記ズーム操作部材との間に構成された嵌合構造により、前記モード選択ダイヤルの回動を規制することを特徴とするものである。
【００１７】
この発明によれば、モード選択ダイヤルに対して電源をオフにする操作が行われると、モード選択ダイヤルとズーム操作部材との間に構成された嵌合構造により、モード選択ダイヤルの回動を規制するようにしたので、カメラが使用されていない間に、モード選択ダイヤルが不用意に回動するのを防止することができる。
【００１８】
【発明の実施の形態】
本発明に係るカメラの一実施形態について説明する。
【００１９】
図１は、本実施形態に係るカメラの平面図、図２は、カメラの背面図である。なお、以下の説明において、図２に示すように、カメラを略水平にした場合であって背面から見たときの右側をカメラの右側、左側をカメラの左側というものとする。
【００２０】
図１，図２に示すように、カメラ１は、前面適所に配設された撮影レンズユニット２と、背面側に配設されたファインダ３と、ファインダ３の下方に配設された液晶表示部４と、右側方の上面適所に配設されたシャッターボタン５と、シャッターボタン５の近傍に配設されたモード選択ダイヤル６及びズームレバー７とを有する。
【００２１】
撮影レンズユニット２は、ズームレバー７の操作により光軸方向に移動する図略のズームレンズを備え、被写体の光像を撮影手段（フィルムや撮像素子）に導くものである。
【００２２】
ファインダ３及び液晶表示部４は、撮影領域内の被写体像を表示するものである。ファインダ３は、光学ファインダあるいは電子ファインダからなり、その接眼窓３ａから覗き込むことで被写体像を視認することができる。
【００２３】
シャッターボタン５は、カメラ１に対し撮影の指示を行うためのものである。
【００２４】
モード選択ダイヤル６は、カメラ１の上面右側に配設され、カメラ１の上面と略平行な面内で回動可能な略円盤状の部材である。モード選択ダイヤル６は、本実施形態においては、電源のＯＮ／ＯＦＦの切替え、静止画の記録、撮影画像の再生、動画の記録、セットアップ、及び周辺機器と接続した場合の該周辺機器との画像データの通信の各機能を択一的に選択するためのものである。モード選択ダイヤル６の上面には、各機能を示すキャラクターが所定の間隔で表記されていて、モード選択ダイヤル６を回動し指標Ｍと対向する位置にセットされたキャラクターに対応する機能が実行される。なお、セットアップには、液晶表示部４の明るさのレベル、ファインダ３を電子ファインダ（ＥＶＦ）とした場合の明るさのレベル、パワーセーブの時間、操作音の高低、ファイルナンバーの記憶の要否、ＥＶＦオート設定等が含まれる。
【００２５】
ズームレバー７は、ズームレンズを光軸方向に移動させ、焦点距離を手動で変更するための部材であり、後述するように、モード選択ダイヤル６の略外周面に沿って移動する。図１に示すように、上方から見て反時計回り（矢印Ａの方向）に移動することにより望遠側にズームレンズが移動し、左側に移動することにより広角側にズームレンズが移動する。
【００２６】
なお、ズームレバー７の操作時間に応じてズームレンズの移動量が変化し、このズームレンズの移動に伴って、ファインダ３または液晶表示部４に表示される被写体像の表示倍率が変化する。
【００２７】
以上の概略構成を備えるカメラ１においては、被写体の撮影を行う場合、図２に示すように、通常、左右のうち少なくとも右側方が把持されるとともに、（この把持される部分をグリップ部Ｇという）、シャッターボタン５は人差し指で、モード選択ダイヤル６は親指または人差し指で操作される。
【００２８】
本実施形態では、カメラの操作性、特にモード切替操作とズーム操作とを連続して行うときの操作性を向上すべく、モード選択ダイヤル６とズームレバー７とを近接させ、かつグリップ部Ｇに略同軸上に配置したところに特徴を有している。
【００２９】
さらに、本実施形態では、撮影者がカメラ１を把持し、ズームレバー７によるズーム操作を行ったときに、撮影者の指等がモード選択ダイヤル６に誤って触れて不用意に回動するのを防止するため、ズームレバー７がモード選択ダイヤル６の側面の一部を覆うように配設している（図２参照）。
【００３０】
以下、モード選択ダイヤル６とズームレバー７の詳細な構成について説明する。
【００３１】
図３は、モード選択ダイヤル６とズームレバー７の構造を示す平面図（図４におけるＺ−Ｚ線断面図）、図４は、その平面図におけるＸ−Ｘ線断面図、図５は、その平面図におけるＹ−Ｙ線断面図である。
【００３２】
図３〜図５に示すように、モード選択ダイヤル６は、円盤形状のダイヤル部６１と円柱形状の軸部６２とを有する部材である。ズームレバー７は、中心に所定の径の開口部７３を有する円盤部７１と、この円盤部７１から外径側に突出するレバー部７２とを有する部材である。
【００３３】
図略の本体フレームに固定されたカバー部材８の適所には、筒状の軸受け部８１が形成されており、この軸受け部８１にモード選択ダイヤル６の軸部６２が回動可能に内嵌している一方、ズームレバー７がこの軸受け部８１に開口部７３を介して回動可能に外嵌している。
【００３４】
モード選択ダイヤル６の軸部６２の底面には、円盤状の台板９がビス１０で取り付けられている。台板９の径は、モード選択ダイヤル６の軸部６２の径に比して大径とされており、台板９をカバー部材８の軸受け部８１に当接させることで、モード選択ダイヤル６がカバー部材８の軸受け部８１から抜けるのを防止している。
【００３５】
台板９のカメラ１内部側の面には、電気摺動接片としてのダイヤル接片１１が取り付けられている一方、所定のエンコードパターン１２が基板部材１３に形成されてなる基板１４が図略の本体フレームに取り付けられており、モード選択ダイヤル６が回動操作されると、ダイヤル接片１１が基板１４上のエンコードパターン１２に対して摺動する。
【００３６】
エンコードパターン１２は、詳細には図示しないが、ダイヤル接片１１の位置に応じて異なるパターンを有しており、このエンコードパターン１２をダイヤル切片１４を介して読み取ることで、モード選択ダイヤル６により選択された機能を判別することができる。
【００３７】
図５に示すように、カバー部材８の適所には、カメラ１内部側に向かって延びる有底の円筒部８２が形成されている。この円筒部８２により形成されるクリック溝８３の内部には、ボール１６が巻きばね１５の上部に載置された状態で該巻きばね１５及びボール１６が配設されており、ボール１６は巻きばね１５によりモード選択ダイヤル６側に付勢されている。
【００３８】
一方、モード選択ダイヤル６におけるダイヤル部６１の下面には、所定の間隔で複数の凹部６１ａが形成されている（図５には１つの凹部６１ａのみ図示している）。各凹部６１ａは、モード選択ダイヤル６に割り当てられた機能を示すキャラクターの表記位置が指標Ｍと対向する位置に位置したときに、クリック溝８３内のボール１６の配設位置と略一致する位置に形成されており、モード選択ダイヤル６によりいずれかのキャラクタが指標Ｍの対向位置に位置する毎に、クリック溝８３内のボール１６が巻きばね１５の付勢力によってその凹部６１ａに嵌り込むように構成されている。これにより、モードの切替え操作にクリック感が付与される。
【００３９】
図３に示すように、ズームレバー７には、複数の円弧状の長穴７１ａ〜７１ｃが形成されている一方、カバー部材８には、カメラ１内部側に延設された円筒状のボス部８４が複数形成されており、ズームレバー７の長穴７１ａ〜７１ｃにカバー部材８のボス部８４が嵌入している。
【００４０】
ボス部８４の内面には、螺子部が形成されており、この螺子部にビス１７が螺合されている。ビス１７の頭部１７ａは、ボス部８４の径より大径とされており、この頭部１７ａにより、ズームレバー７がカバー部材８から脱落するのを防止している。
【００４１】
なお、カバー部材８に形成された上記円筒部８２が、ズームレバー７の長穴７１に嵌入しており、長穴７１ｃに嵌入しているボス部８４と円筒部８２とは一体化されている。
【００４２】
ズームレバー７の円盤部７１の外周側適所には、電気摺動接片としてのズームレバー接片１８が取り付けられている。
【００４３】
一方、ズームレバー接片１８と摺接する基板については、モード選択ダイヤル６のダイヤル接片１１と摺接する基板１４の基板部材１３が兼用されている。すなわち、本実施形態では、モード選択ダイヤル６とズームレバー７とを近接して配設したので、モード選択ダイヤル６により選択された機能を判別するためのエンコードパターン１２と、ズームレバー７のズーム操作（望遠または広角）を判別するためのエンコードパターン１９とを、同一の基板部材１３上に形成することが可能となり、ズームレバー接片１８用の基板部材とダイヤル接片１１用の基板部材とを兼用している。
【００４４】
これにより、基板部材等の部品の点数を削減することができるとともに、省スペース化が可能となりカメラ１の小型化を図ることができる。
【００４５】
ズームレバー接片１８と摺接するエンコードパターン１９は、詳細には図示しないが、２種類の異なるパターンを有し、ズームレバー７が望遠を指示する方向（矢印Ａの方向）に回動操作されると、ズームレバー接片が一方のパターンに摺接し、広角を指示する方向（矢印Ｂの方向）に回動操作されると、ズームレバー接片が他方のパターンに摺接する。これにより、エンコードパターンを読み取ることで、ズームレバー７を介して指示された操作が、望遠を指示する操作であるか広角を指示する操作であるかを判別することができる。
【００４６】
図４，図５に示すように、ズームレバー７の外周側において、該ズームレバー７とカバー部材８との間には、環状の間隙Ｓが設けられており、この間隙Ｓにねじりコイルばね２０が配設されている。ねじりコイルばね２０の両端に形成されたフック部２１，２２は、ズームレバー７及びカバー部材８の各ボス部８５を挟み込む方向に付勢する。
【００４７】
ズームレバー７の回動操作が行われていないとき、該ズームレバー７のレバー部７２は、図２に示すように、背面から見て、モード選択ダイヤル６に対し左右方向において略中央位置に位置している。
【００４８】
この状態から、撮影者がズームレバー７を例えば矢印Ａの方向に回動すると、ねじりコイルばね２０のフック部２１は、カバー部材８のボス部８５により移動が規制される一方、フック部２２は、ねじりコイルばね２０の付勢力に抗して移動するズームレバー７のボス部７４により押圧されることで、矢印Ｃの方向に移動する。
【００４９】
なお、ズームレバー７の回動は、該ズームレバー７の長穴７１ａ〜７１ｃを形成する端部がカバー部材８のボス部８４または円筒部８２に当接することにより、所定の回動角度で規制される。ズームレバー７の回動操作を止めて指を該ズームレバー７から離すと、ねじりコイルばね２０の付勢力によりズームレバー７は上記中央位置に復帰する。
【００５０】
以上の構成を備えるカメラにおいて、通常のカメラ１の把持姿勢では、図２に示すように、カメラ１の背面からみて、右手親指の指先はカメラ１の背面の右上部に位置し、人差し指の指先は、カメラ１の上側の右角部に位置する。
【００５１】
そして、本実施形態においては、モード選択ダイヤル６をシャッターボタン５の近傍に配置し、かつズームレバー７のレバー部７２をモード選択ダイヤル６の近傍位置であって該ダイヤル６と略同心円弧上を移動可能に背面側に配置したので、通常の把持姿勢をほとんど崩すことなく（手の全体的な向きをほとんど変えることなく）、シャッターボタン５、モード選択ダイヤル６及びズームレバー７を操作することができる。
【００５２】
すなわち、図６に示すように、通常のカメラ１の把持姿勢では、人差し指ｆ１の指先は、カメラ１の上側の右角部に位置するから、ほぼその位置にあるシャッターボタン５については右手人差し指ｆ１により押圧操作することができる。また、右手人差し指ｆ１をその位置から若干背面側に移動する（ｆ’）だけで、モード選択ダイヤル６を回動操作することができる。または、図７に示すように、通常のカメラ１の把持姿勢における右手親指ｆ２の位置から、該親指ｆ２をカメラ１の右上部に移動する（ｆ２’）だけでモード選択ダイヤル６を回動操作することができる。さらに、図７に示すように、通常のカメラ１の把持姿勢における右手親指ｆ２の位置から、該親指ｆ２を若干上方に移動する（ｆ２”）だけでズームレバー７を移動操作することができる。
【００５３】
これにより、通常の把持姿勢をほとんど崩すことなくシャッターボタン５及びズームレバー７を異なる指で操作できるから、ズームレバー７によるズーム操作の後、速やかにシャッターボタン５によるレリーズ操作を行うことができる。また、モード選択ダイヤル６及びズームレバー７を、通常の把持姿勢をほとんど崩すことなく異なる指で、あるいは１本の指（親指ｆ２）の位置を少し移動させることで操作できるから、モード選択ダイヤル６によるダイヤル操作とズームレバー７によるズーム操作とを速やかに連続して行うことができる。
【００５４】
また、モード選択ダイヤル６とズームレバー７とを近接して配置したので、これらの部材の操作を検出するための基板１４に用いる基板部材１３を、選択モード検出用とズーム検出用とで兼用することができ、これにより、部品点数を削減することができるとともに、省スペース化が可能となりカメラ１の小型化を図ることができる。
【００５５】
また、ズームレバー７がモード選択ダイヤル６の外周面の一部を覆うように配設したので、ズームレバー７によるズーム操作を行ったときに、撮影者の指等がモード選択ダイヤル６に誤って触れて不用意に回動するのを防止または抑制することができる。
【００５６】
本発明は、上記実施形態に限らず、次の変形形態（１）〜（６）が採用可能である。
【００５７】
（１）モード選択ダイヤル６に割り当てられる機能は、上述したものに限らず、例えば、撮影モードにおける詳細な機能（フルオート、露出の種類（プログラムＡＥ、絞り優先ＡＥ、シャッタースピード優先ＡＥ、マニュアル露出）、シーンセレクト機能及び動画撮影）や、画像サイズ、画質、ドライブモード、ホワイトバランス、撮像感度、コントラスト、露出補正、彩度、フォーカスエリア等の設定を行う機能であってもよい。
【００５８】
（２）カメラ１が電源オフ状態であるときに、モード選択ダイヤル６が不用意に回動するのを防止するため、例えば次のようなロック機構を備えるとよい。
【００５９】
図８は、モード選択ダイヤル６のロック機構を示す図である。
【００６０】
図８に示すように、ズームレバー７’に形成された長円形状の開口部２１に、モード選択ダイヤル６の軸部６２が嵌合しており、ロック機構２３は、モード選択ダイヤル６の軸部６２に形成された凹部２４と、ズームレバー７’の開口部２１を形成する内壁面適所に設けられた、軸心側に突出する凸部２５と、図略のカメラ１本体に取り付けられた付勢スプリング２６とにより構成されている。なお、図２においては、図面の視認性を考慮して、ズームレバー７’を略Ｔ字形状に図示している。
【００６１】
ズームレバー７’は、付勢スプリング２６により矢印Ｄの方向に付勢されている。
【００６２】
モード選択ダイヤル６の「ＯＦＦ」の表記位置を指標Ｍと対向するようにモード選択ダイヤル６を回動操作すると、図８（ａ）に示すように、ズームレバー７’の凸部２５の位置とモード選択ダイヤル６の凹部２４の位置とが左右方向に一致し、付勢スプリング２６の付勢力によってズームレバー７’が矢印Ｄの方向に移動して、凸部２５が凹部２４に嵌合する。モード選択ダイヤル６は、この嵌合構造を介してズームレバー７’に係止されることにより、その回動が規制（ロック）される。
【００６３】
なお、モード選択ダイヤル６により、カメラ１の電源をＯＦＦからＯＮにして他の機能に設定する際には、図８（ｂ）に示すように、ズームレバー７’を付勢スプリング２６の付勢力に抗して矢印Ｅの方向に押圧しつつ、モード選択ダイヤル６を矢印Ｆの方向に回動することで、その設定が可能となる。
【００６４】
（３）上記実施形態においては、ズームレバー７によるズーム操作を行ったときに、撮影者の指等がモード選択ダイヤル６に誤って触れて不用意に回動するのを防止するために、ズームレバー７がモード選択ダイヤル６の側面の一部を覆うように配設したが、これに限らず、図９に示すように、モード選択ダイヤル６とズームレバー７との配設位置を、高さ方向に重ならないようにずらしてもよい。
【００６５】
（４）図１０に示すように、モード選択ダイヤル６’が、カメラ１の前面から前方に所定量Ｌだけ突出するように構成すると、カメラ１を把持したときに、親指でズームレバー７によるズーム操作を、人差し指でモード選択ダイヤル６’によるダイヤル操作を行うことができる。特に、この場合、モード選択ダイヤル６’の前方側に人差し指を押し当てるだけでその回動操作が可能となり、モード選択ダイヤル６’の操作性を向上することができる。
【００６６】
（５）ズームレンズの焦点距離を変更するための操作部材として、上記のズームレバー７、７’に限らず、図１１に示すように、円盤状のダイヤル構造としても上記実施形態と同様の操作性が得られる。さらに、このダイヤル構造のズーム操作部材２７の径をモード選択ダイヤル６’より大径とすると、ズーム操作部材７の操作時に、モード選択ダイヤル６’に親指が誤って触れるのを防止または抑制することができる。また、ズーム操作部材７がモード選択ダイヤル６’から突出する量を、上記実施形態においてズームレバー７がモード選択ダイヤル６から突出する量より小さくすると、モード選択ダイヤル６’を親指で操作する場合に、親指がズーム操作部材７に誤って触れにくくなる。
【００６７】
（６）上記実施形態では、シャッターボタン５、モード選択ダイヤル６及びズームレバー７が、カメラ１の上側の右角部に配設されたカメラについて本発明を適用したものであるが、シャッターボタン５が、カメラ１の上側の左角部に配設されたカメラについても本発明を同様に適用することができる。
【００６８】
なお、特に、特許請求の範囲における請求項１記載のカメラは、
撮影を行うべくカメラ本体におけるグリップ部を手で把持した場合に、把持した手の人差し指先端部の近傍に位置する前記グリップ部の上側角部に、複数のモードを択一的に切り替えるための略円盤状のモード選択ダイヤルが、前記カメラ本体の上面に略平行な面内で回動可能に配設されるとともに、
前記把持した手の親指先端部の近傍に位置する前記モード選択ダイヤルの下方位置に、ズームレンズの焦点距離を変更する指示を入力するためのズーム操作部材が、前記モード選択ダイヤルの略同心円弧上を移動可能に配設されているカメラを含む。
【００６９】
また、本発明に係るカメラは、特許請求の範囲に記載されたもの以外に、
レリーズ操作を入力するためのシャッターボタンが、撮影を行うべくカメラ本体におけるグリップ部がグリップされたときに前記グリップ部を把持した手の人差し指先端部の近傍位置に配設されていることを特徴とする請求項１記載のカメラを含む。
【００７０】
【発明の効果】
請求項１に記載の発明によれば、複数のモードを択一的に切り替えるための略円盤状のモード選択ダイヤルを、カメラ本体におけるグリップ部の上側に回動可能に配設するとともに、ズームレンズの焦点距離を変更する指示を入力するためのズーム操作部材を、前記グリップ部の背面側に配設し、前記モード選択ダイヤルの略同心円弧上を移動可能に構成したので、モードを切り替える操作とズーム操作とを連続して行う場合に、手や指の動線が比較的短くて済む。これにより、カメラの把持姿勢を大きく変える必要がなくなるから、カメラの操作性を向上することができる。
【００７１】
請求項２に記載の発明によれば、第１の基板及び第２の基板の基板部材を、同一の基板部材としたので、第１の基板及び第２の基板を作成する場合に、同一の基板部材を兼用することができる。したがって、第１の基板及び第２の基板を別の基板部材を用いて構成する場合に比して、部品点数を削減することができるとともに、省スペース化を図ることができる。
【００７２】
請求項３に記載の発明によれば、ズーム操作部材を、モード選択ダイヤルの外周部のうち少なくとも一部を覆うレバー部材としたので、ズーム操作部材を操作する際に、誤って指がモード選択ダイヤルに触れるのを防止または抑制することができる。
【００７３】
請求項４に記載の発明によれば、モード選択ダイヤルのうち少なくとも一部を、カメラ本体の前面または側面から突出させたので、モード選択ダイヤルの外周部に１本の指を押し当てるだけで回動操作が可能となり、モード選択ダイヤルの操作性を向上することができる。
【００７４】
請求項５に記載の発明によれば、モード選択ダイヤルに対して電源をオフにする操作が行われると、モード選択ダイヤルとズーム操作部材との間に構成された嵌合構造により、モード選択ダイヤルの回動を規制するようにしたので、カメラが使用されていない間に、モード選択ダイヤルが不用意に回動するのを防止することができる。
【図面の簡単な説明】
【図１】本発明に係るカメラの実施形態を示す平面図である。
【図２】カメラの背面図である。
【図３】モード選択ダイヤルとズームレバーの構造を示す平面図（図４におけるＺ−Ｚ線断面図）である。
【図４】図３におけるＸ−Ｘ線断面図、
【図５】図３におけるＹ−Ｙ線断面図である。
【図６】第１の実施形態のカメラの作用を説明するための図である。
【図７】第１の実施形態のカメラの作用を説明するための図である。
【図８】モード選択ダイヤルのロック機構を示す図である。
【図９】本発明に係るカメラの他の実施形態を示す平面図である。
【図１０】本発明に係るカメラの他の実施形態を示す平面図である。
【図１１】本発明に係るカメラの他の実施形態を示す平面図である。
【符号の説明】
５    シャッターボタン
６    モード選択ダイヤル
６１  ダイヤル部
６２  軸部
７    ズームレバー
７１  円盤部
７１ａ〜７１ｃ  長穴
７２  レバー部
８    カバー部材
１１  ダイヤル接片
１２  エンコードパターン
１３  基板部材
１４  基板
１８  ズームレバー接片
１９  エンコードパターン
２０  ねじりコイルばね
２１，２２  フック部
２３  ロック機構
２４  凹部
２５  凸部
２６  付勢スプリング
【図１】
2004239949.tif 000003
【図２】
2004239949.tif 000004
【図３】
2004239949.tif 000005
【図４】
2004239949.tif 000006
【図５】
2004239949.tif 000007
【図６】
2004239949.tif 000008
【図７】
2004239949.tif 000009
【図８】
2004239949.tif 000010
【図９】
2004239949.tif 000011
【図１０】
2004239949.tif 000012
【図１１】
2004239949.tif 000013